(57)【要約】  その上面に情報若しくは装飾的図様を担持する本体１２と、該本体の一端から延出する位置決め形成材１４とを有するコーナー用具１０。位置決め形成材は、コーナー用具を物品に取付ける前にコーナー用具を物品に対して位置決め及び整合させる。位置決め形成材はその両側に綴じ金の脚を受ける形状とされる。装置はまた、コーナー用具が物品に取付けられると、本体を位置決め形成材上に折り重ねることを可能にし、それにより情報若しくは装飾的図様を表示可能とするように適合された折畳み面域をも含む。
2008506563.tif 000002
【特許請求の範囲】
【請求項１】
コーナー用具であって、
上面に情報若しくは装飾的図様を担持する本体と、
前記本体の一端から延出し、前記コーナー用具を物品に取付ける前に該コーナー用具を物品に対して位置決め及び整合させる位置決め形成材であって、該位置決め形成材は、使用時にその両側に綴じ金の脚を受ける形状とされる位置決め形成材と、
前記コーナー用具が前記物品に取付けられると、前記本体を前記位置決め形成材に折り重ね、それによって前記情報若しくは装飾的図様を表示可能とするように適合された折畳み面域とを含むコーナー用具。
【請求項２】
前記位置決め形成材は該位置決め形成材を前記本体につなぐ頸部を含み、前記位置決め形成材及び前記本体は細溝を前記頸部の両側に画定し、前記溝は、使用時に前記綴じ金の前記脚を受ける請求項１に記載のコーナー用具。
【請求項３】
前記位置決め形成材は、更に該位置決め形成材の外側端から前記本体に向かって延在する中央位置決めスリットを画定する２つのローブを含む請求項１又は請求項２に記載のコーナー用具。
【請求項４】
前記本体は該本体の底面を前記物品に固定するための取付け手段を有する請求項１から請求項３までのいずれか一項に記載のコーナー用具。
【請求項５】
前記取付け手段を前記本体の底面に塗布された粘着層とする請求項４に記載のコーナー用具。
【請求項６】
前記本体は該本体から半径方向外向きに伸長する形状及び構成とされた少なくとも１つのアームを更に含み、前記少なくとも１つのアームは粘着層を塗布された底面を有し、使用時に、前記少なくとも１つのアームは前記物品の側部に折り回されて前記アームが前記物品の裏面に固定される請求項１から請求項５までのいずれか一項に記載のコーナー用具。
【請求項７】
前記本体に２つのアームを含む請求項６に記載のコーナー用具。
【請求項８】
前記本体に安全装置を含む請求項１から請求項７までのいずれか一項に記載のコーナー用具。
【請求項９】
前記安全装置を電子装置とする請求項８に記載のコーナー用具。
【請求項１０】
前記本体の前記上面の前記情報によって前記コーナー用具が取付けられる前記物品が識別される請求項１から請求項９までのいずれか一項に記載のコーナー用具。
【請求項１１】
前記本体の前記上面の前記装飾的図様を会社ロゴ若しくは紋章とする請求項１から請求項１０までのいずれか一項に記載のコーナー用具。
【請求項１２】
前記物品は複数枚の用紙から成る請求項１から請求項１１までのいずれか一項に記載のコーナー用具。
【請求項１３】
コーナー用具を物品に取付けるためのキットであって、前記キットはコーナー用具位置決め器を含み、前記コーナー用具位置決め器は前記コーナー用具の前記位置決め形成材を受ける受け部及び前記コーナー用具位置決め器を紙綴じ器に取付ける取付け手段を含み、前記受け部は、使用時に、前記紙綴じ器のマガジンの下面に位置する短い溝を画定する請求項１に記載のコーナー用具を物品に取付けるためのキット。
【請求項１４】
前記位置決め器取付け手段は前記受け部の両側から垂直に伸長する２つの脚部とされ、前記脚部同士は相互寄りに付勢されて前記紙綴じ器の前記マガジンを掴持する請求項１３に記載のキット。
【請求項１５】
前記位置決め器は前記受け部の前端に中央固定用形成材を更に含む請求項１３又は請求項１４に記載のキット。
【請求項１６】
前記固定用形成材を突起とする請求項１５に記載のキット。
【請求項１７】
前記位置決め器はコーナー用具の運動を前記短い溝内に制限する停止材を含む請求項１３から請求項１６までのいずれか一項に記載のキット。
【請求項１８】
前記停止材は中央内向きに突出する停止材とされ、使用時に、前記コーナー用具の前記中央位置決めスリットにより受けられる請求項１７に記載のキット。
【請求項１９】
前記停止材を前記位置決め器の前端と後端の間の段階状形成材とする請求項１８に記載のキット。
【請求項２０】
紙揃え器を更に含み、該紙揃え器は前記物品を受け且つ前記紙綴じ器に整合させる位置決め形成材を画定する２つのブラケットを備える請求項１３から請求項２０までのいずれか一項に記載のキット。
【請求項２１】
前記紙揃え器は該紙揃え器を前記紙綴じ器に固定する形成材を含む請求項２０に記載のキット。
【請求項２２】
受け部及び前記コーナー用具位置決め器を紙綴じ器に取付ける取付け手段を含むコーナー用具位置決め器であって、前記受け部は、使用時に、前記紙綴じ器のマガジンの下面に位置する短い溝を画定するコーナー用具位置決め器。
【請求項２３】
前記取付け手段は前記受け部の両側から垂直に伸長する２つの脚部とされ、前記脚部同士は相互寄りに付勢されて前記紙綴じ器の前記マガジンを掴持する請求項２２に記載のコーナー用具位置決め器。
【請求項２４】
前記位置決め器は前記受け部の前端にコーナー用具を所定位置に保持するための中央固定用形成材を更に含む請求項２２又は請求項２３に記載のコーナー用具位置決め器。
【請求項２５】
前記固定用形成材を突起とする請求項２４に記載のコーナー用具位置決め器。
【請求項２６】
前記位置決め器はコーナー用具の運動を前記短い溝内に制限する停止材を含む請求項２２から請求項２５までのいずれか一項に記載のコーナー用具位置決め器。
【請求項２７】
前記停止材は中央内向きに突出する停止材とされ、使用時に、前記コーナー用具の中央位置決めスリットにより受けられる請求項２６に記載のコーナー用具位置決め器。
【請求項２８】
前記停止材を前記位置決め器の前端と後端の間の段階状形成材とする請求項２６に記載のコーナー用具位置決め器。
【発明の詳細な説明】
【技術分野】
【０００１】
本発明は、１枚の用紙又は複数枚の用紙により形成された書類等の物品に取付けるコーナー用具に関する。本発明は更に、コーナー用具を書類に取付けるためのキット及び複数枚の用紙に前記コーナー用具を取付け前に揃え且つ保持するためのコーナー用具位置決め器に関する。
【背景技術】
【０００２】
綴じ金（ステープル）は複数枚の用紙をまとめて綴じるために最も一般的に使用されるファスナの１つである。複数枚の用紙をまとめて綴じる綴じ金を取り外すことは至って容易なため、綴じ金に適用することによって複数枚の用紙により形成された書類に何らかの安全対策を施す改変自明の用具若しくはシールを求める需要が生じている。
【発明の開示】
【発明が解決しようとする課題】
【０００３】
複数枚の用紙をまとめて綴じるために綴じ金を使用することには、書類を多数の人が長期間に亘り使用した後に用紙の隅が概ね変色し且つ反り返るという不都合がある。その結果、特に契約書等の法律書類の場合には、書類の美観及び専門職的外観が失われる虞がある。
【０００４】
本発明の目的は、それらの問題の少なくとも幾つかに対処するコーナー用具を提供することにある。
【課題を解決するための手段】
【０００５】
本発明によれば、コーナー用具であって、
上面に情報若しくは装飾的図様を担持する本体と、
前記本体の一端から延出し、前記コーナー用具を物品に取付ける前に該コーナー用具を物品に対して位置決め及び整合させる位置決め形成材であって、該位置決め形成材は、使用時にその両側に綴じ金の脚を受ける形状とされる位置決め形成材と、
前記コーナー用具が前記物品に取付けられると、前記本体を前記位置決め形成材に折り重ね、それによって前記情報若しくは装飾的図様を表示可能とするように適合された折畳み面域とを含むコーナー用具が提供される。
【０００６】
前記位置決め形成材は、更に該位置決め形成材を前記本体につなぐ頸部を備えることが可能とされ、前記位置決め形成材及び前記本体によって細溝が前記頸部の両側に画定され、前記溝は、使用時に前記綴じ金の前記脚を受ける。
【０００７】
前記位置決め形成材は、更に該位置決め形成材の外側端から前記本体に向かって延在する中央位置決めスリットを画定する２つのローブを含むことが好ましい。
【０００８】
有利には、前記本体は該本体の底面を前記物品に固定するための取付け手段を備え得る。前記取付け手段は、前記底面に塗布された粘着層とすることが好ましい。
【０００９】
一般的に、前記本体は該本体から半径方向外向きに伸長する形状及び構成とされた少なくとも１つのアームを更に含み、前記少なくとも１つのアームは粘着層を塗布された底面を有し、使用時に、前記少なくとも１つのアームは前記物品の側部に折り回されて前記アームは前記物品の裏面に取付けられ固定される。前記本体は２つのアームを含むことが好ましい。
【００１０】
前記情報によって前記物品が好ましくは識別されることが可能とされる。前記装飾的図様は好ましくは会社ロゴ若しくは紋章とすることが可能とされる。
【００１１】
前記本体は電子装置等の安全装置を含むことが可能とされる。
【００１２】
一般的に、前記物品は複数枚の用紙から成る。
【００１３】
本発明の第２の態様によれば、前述のコーナー用具を物品に取付けるためのキットが提供され、前記キットはコーナー用具位置決め器を含み、前記コーナー用具位置決め器は前記コーナー用具の前記位置決め形成材を受ける受け部及び前記コーナー用具位置決め器を紙綴じ器に取付ける取付け手段を含み、前記受け部は、使用時に、前記紙綴じ器のマガジンの下面に位置する短い溝を画定する。
【００１４】
前記位置決め器止着手段は前記受け部の両側から垂直に伸長する２つの脚部とされることが好ましく、前記脚部同士は相互寄りに付勢されて前記紙綴じ器の前記マガジンを掴持する。
【００１５】
前記位置決め器は前記受け部の前端に中央固定用形成材を更に含むことが可能とされ、前記固定用形成材は突起とされる。
【００１６】
前記位置決め器はコーナー用具の運動を前記短い溝内に制限する停止材を含むことが好ましい。前記停止材は中央内向きに突出する停止材としてよく、使用時に、前記コーナー用具の前記中央位置決めスリットにより受けられる。或いは、前記停止材は前記位置決め器の前端と後端の間の段階状形成材とすることも可能とされる。
【００１７】
一般的に前記キットは紙揃え器をも含み、該紙揃え器は前記物品を受け且つ前記紙綴じ器に整合させる位置決め形成材を画定する２つのブラケットを備える。
【００１８】
前記紙揃え器は該紙揃え器を前記紙綴じ器に固定する形成材を含むことが可能とされる。
【００１９】
本発明の別の態様によれば、受け部及び前記コーナー用具位置決め器を紙綴じ器に取付ける取付け手段を含むコーナー用具位置決め器であって、前記受け部は、使用時に、前記紙綴じ器のマガジンの下面に位置する短い溝を画定するコーナー用具位置決め器が提供される。
【００２０】
前記位置決め器取付け手段は前記受け部の両側から垂直に伸長する２つの脚部とされることが好ましく、前記脚部同士は相互寄りに付勢されて前記紙綴じ器の前記マガジンを掴持する。
【００２１】
前記位置決め器は前記受け部の前端に中央固定用形成材を更に含むことが可能とされ、前記固定用形成材は突起とされる。
【００２２】
前記位置決め器はコーナー用具の運動を前記短い溝内に制限する停止材を含むことが好ましい。前記停止材は中央内向きに突出する停止材としてよく、使用時に、前記コーナー用具の前記中央位置決めスリットにより受けられる。或いは、前記停止材は前記位置決め器の前端と後端の間の段階状形成材とすることも可能とされる。
【実施例】
【００２３】
図１は、本発明の実施例による、本体１２及び位置決め形成材１４を備えるコーナー用具１０を示す。使用時に、コーナー用具１０は前出加工品、一般的には１枚の用紙若しくは複数枚の用紙により形成される書類の隅に止着される。コーナー用具１０の本体１２は、したがって、用紙に取付けられるとその隅に具合良く適合するように、実質的に三角形の形状を有する。コーナー用具は、後述の実施例に示すように、書類の隅を実質的に包むことが可能な他の形状としてもよいことが理解されよう。
【００２４】
コーナー用具１０の位置決め形成材１４は、同形成材１４を本体１２につなぐ頸部１６を有する。頸部１６の両側には、位置決め形成材１４及び本体１２によって細溝１８が画定される。位置決めスリット２０は、位置決め形成材１４の外側端から位置決め形成材を経て本体１２に向かって中心に延在し、位置決め形成材１４を２つのローブ２２に分割する。頸部１６及び細溝１８の輪郭によって綴じ金の２脚間の間隔が頸部１６より幅広となり、それによってコーナー用具１０が綴じ金により穿孔されないようにすることが保証される。
【００２５】
使用時に、コーナー用具１０は１枚若しくは複数枚の用紙に綴じ金によって固定される。本発明の実施例においては、コーナー用具１０は１枚若しくは複数枚の用紙の隅にコーナー用具１０の中軸線２４に対し約４５度角で取付けられる。この整合性は、特に本体１２を実質的に三角形とする場合には取付けられたコーナー用具１０によって複数枚の用紙の隅が包まれるため、好適とされる。コーナー用具１０を書類に整合させる工程について、以下に図２から６により説明する。
【００２６】
図２を参照すると、コーナー用具位置決め器２６及び紙揃え器２８は、コーナー用具１０を綴じ金で用紙に取付ける前にコーナー用具１０を所定位置に合わせ且つ保持するのに使用され、それによってコーナー用具１０と用紙の適切な整合が保証される。コーナー用具位置決め器２６及び紙揃え器２８とも、使用前に紙綴じ器３０に固定される。
【００２７】
コーナー用具位置決め器２６は、受け部３４の両側から垂直に伸長する２つの脚部３２を取付け手段として有し、該脚部は使用中の紙綴じ器３０のマガジン３６の下面に位置する短い溝を画定する。２つの脚部３２は、装填されたマガジン３６の周りに密接嵌合を保つように内向き付勢が可能とされる。この実施例においては、２つの脚部３２はコーナー用具位置決め器２６の後端に向かって位置する。コーナー用具位置決め器２６はまた、コーナー用具１０の位置決めスリット２０に相補状に嵌合する、内部中央に突出する停止材３７も有する。停止材３７はコーナー用具の運動を短い溝内で制限する。コーナー用具位置決め器２６の取付け手段は、コーナー用具位置決め器２６を紙綴じ器３０の所定位置に保持するリベットにもなり得ることが理解されよう。
【００２８】
コーナー用具位置決め器２６のコーナー用具１０を所定位置に保持する能力を増すため、固定用形成材３８が受け部３４の前端中央に置かれる。一般的に、固定用形成材３８は、コーナー用具位置決め器２６の２つの脚部３２及び受け部３４によって形成される短い溝内に延在する突起（図４ｂに示す）若しくはリブとすることが可能とされる。この突起３８は、ローブの端が受け部３４の後部に当接し、突出する停止材３７が位置決めスリット２０内に延在するまで位置決めスリット２０沿いに摺動される。固定用形成材３８は、位置決めスリット２０及び頸部１８の隣接面域に密接に当接することにより、位置決め形成材１４を所定位置に保持する摩擦グリップとして作用する。
【００２９】
図４ｂにも示すように、コーナー用具位置決め器２６はマガジン３６の前端に向かって設置され、それによってコーナー用具１０は、紙綴じ器３０の作動時、コーナー用具位置決め器２６によって保持された時に、綴じ金の脚が細溝１８を通過可能とするように位置付けされることが保証される。
【００３０】
コーナー用具位置決め器２６は、一般的に金属、樹脂、プラスチック材若しくは紙綴じ器３０のマガジン３６に固定可能な且つコーナー用具１０を所定位置に保持可能な他の材料から製作される。
【００３１】
紙揃え器２８は基部４１付きの２つの直立ブラケット４０を備え、紙揃え器２８の基部は紙綴じ器３０の基部４２に固定される。基部４１の外側は一般的に紙綴じ器３０の基部４２の端縁近傍に位置する。各直立ブラケット４０は、図２に示すように、紙揃え器を通る長手方向に延在する中軸線に対して約４５度角とされる。紙揃え器の外側は中軸線に平行とされ、紙揃え器２８の紙綴じ器３０への取付を簡素化するため、前記外側は紙綴じ器３０の基部４２の各端縁に置かれる。２つのブラケット４０は、直角の空隙とされる整合空隙４８を画定し、それによって書類を受ける。整合角度の変化を可能とする可動部を有する揃え器等、様々な紙揃え器が使用可能とされることが理解されよう。
【００３２】
コーナー用具１０を複数枚の用紙に取付ける段階を以下に図２から６により説明する。図２には、コーナー用具位置決め器２６及び紙揃え器２８が紙綴じ器３０に固定された状態の紙綴じ器３０を示す。図３は、複数枚の用紙４４の隅４６を２つのブラケット４０により画定された整合空隙４８に置くことにより、紙綴じ器３０に対して約４５度角に揃えられた複数枚の用紙４４を示す。図４ａ及び４ｂに示すように、位置決め形成材１４を紙綴じ器３０のマガジン３６の下面によって画定される空間とコーナー用具位置決め器２６の受け部３４の間に摺動させることにより、コーナー用具１０はコーナー用具位置決め器２６に置かれる。前述の通り、固定用形成材３８は位置決めスリット２０及び頸部１８の隣接面域に当接するまで位置決めスリット２０内で進行し、それによって摩擦グリップとして作用する。突出する停止材３７は位置決めスリット２０内に延在し、固定用形成材３８及び突出する停止材３７によってコーナー用具１０が所定位置に保持され、同時にコーナー用具１０が紙綴じ器３０に対して整合される。
【００３３】
図５においては、コーナー用具１０は複数枚の用紙４４に綴じ金５０によって取付けられている。理解されるように、綴じ金は紙綴じ器３０を作動させることによって、綴じ金５０の脚がコーナー用具１０の細溝１８の両側で紙に挿通された状態で複数枚の用紙４４に取付けられる。綴じ金５０の２本の脚はこのようにして２つの細溝１８によって受けられ、それによってコーナー用具１０は穿孔されることなく紙４４に取付けられることが可能とされる。各位置決めローブ２２は綴じ金５０の先に延在し、それによってコーナー用具１０が綴じ金５０によって所定位置に保持されることが保証される。
【００３４】
図６に示すように、コーナー用具１０の本体１２は綴じ金５０の上に折畳み若しくは曲折され、位置決め形成材１４によってコーナー用具１０が複数枚の用紙４４の隅に重畳位置付けされる。位置決め形成材１４の頸部１６が形成する折畳み面域により、本体１２を位置決め形成材１０上で折り返すことがより容易になる。
【００３５】
一般的に、コーナー用具１０の本体１２の上面５２には、図６に示すように、コーナー用具１０の折畳み時にユーザに表示される情報若しくは装飾的デザイン若しくは図様が担持される。本体１２の上面５２に担持される装飾的図様の一例は会社のロゴとされる。書類に付されたそのようなロゴによって、書類を発した特定の会社が直ちに書類の受け手に知らされるであろう。或いは、「契約書」とか「法的文書」等の情報をコーナー用具１０上に印刷し、それによってコーナー用具１０が止着された書類のタイプを表示することが可能とされる。先述のように、コーナー用具１０の本体１２の形状はユーザの必要に従って適合することも可能とされる。
【００３６】
コーナー用具１０は一般に金属箔、樹脂、プラスチック材料等の耐久性材料、若しくは曲折或いは折り畳み可能な他の材料から製作される。位置決め形成材１４及び本体１２は同じ材料から製作してよく、或いは位置決め形成材１４は本体１２に取付け可能な別体品としてもよいことが理解されよう。或いは、コーナー用具１０は位置決め形成材１２を形成するシート材から製作することによって折り畳み若しくは曲折し易い用材とし、一方、本体にはシート材に固定された別材料の層を含めて装飾的デザイン若しくは他の情報を担持する上面を形成することが可能とされる。一般的に、その別の層は耐久性材料から製作されよう。
【００３７】
コーナー用具１０を複数枚の用紙４４に固定するため、コーナー用具１０の本体１２の底面若しくは下面５４は、一般的にこれに塗布された粘着層５６等の取付け手段を有する。当て紙５８は表面に対して適用される前の粘着層５６を被覆する。コーナー用具１０が複数枚の用紙に固定されると、当て紙５８は図７に示すように取り除かれ、本体１２は位置決め形成材１４に折り返され、本体１２は次いで複数枚の用紙４４の最も上の用紙に位置決め形成材１６を本体１２と複数枚の用紙４４の間に挟んだ状態で粘着される。紙綴じ器５０の端部の先に延在する位置決めローブ２２は本体１２の下面５４の粘着層５６と併せて、シールとして使用される改変自明のコーナー用具１０となる。これは図８に最も良く示され、本体１２の粘着層５６により、綴じ金５０が用具の端に置かれた状態で位置決め形成材１４が本体下の所定位置に粘着される。
【００３８】
コーナー用具１０が複数枚の用紙４４に適切に適用されるように保証するには、コーナー用具１０の上面５２を複数枚の用紙４４に向け、粘着層を有する下面５４及び当て紙を複数枚の用紙から対向側に向けた状態で、コーナー用具１０を必ずコーナー用具位置決め器１０に挿着すべきであることが理解されよう。上述の通り、コーナー用具１０が用紙４４に固定されると、本体１２は上面５２を上向きにして位置決め形成材１４上に折り重ねられる。
【００３９】
図９に最も良く示されるように、コーナー用具１０の本体１２は該本体１２から半径方向外向きに伸長するように形成且つ構成された２つのアーム６０を有することが可能とされる。一般的に、２つのアーム６０はその下面に同じ粘着層及び当て紙を有する。２つのアーム６０は、複数枚の用紙に固定されると、コーナー用具１０の安全対策を一層向上させる。コーナー用具１０は複数枚の用紙４４に取付けられると、当て紙が本体１２から取り除かれ、アーム６０及び本体１２が複数枚の用紙の表紙に粘着される。アーム６０は次いで、図１０に示すように、複数枚の用紙４４の隅の各側に折り回され、書類の最終用紙の裏面に粘着される。アーム６０はそれによって効果的に複数枚の用紙をまとめる。複数枚の用紙４４及びコーナー用具１０が相互に正しく整合される限り、最終用紙から突き出た綴じ金の圧潰された脚がアーム６０によって被覆され、改変自明シールが更に補強されよう。
【００４０】
アームが複数枚の用紙の隅に折り回し可能とされることによって複数枚の用紙の端がまとめられる限り、アームを１本のみ使用することも、且つ如何様の形状若しくは構成の１つ又は複数のアームも可能とされることが理解されよう。
【００４１】
本体１２にアーム６０を備えない場合には、別個にステッカーを最終用紙から突き出た綴じ金の圧潰された脚の上に粘着させることによっても改変自明のコーナー用具とすることが可能とされる。その別個のステッカーは、綴じ金の圧潰された脚を被覆する限り、如何様の形状若しくはサイズとしてもよい。
【００４２】
電子装置を本体１２に組み込むことにより、更に別の安全対策をコーナー用具１０に含めることが可能とされる。例えば、トランスポンダを本体に一体製作若しくは固定することが可能とされる。電子装置としてＲＦＩＤタグが使用される場合には、コーナー用具が止着される書類のタグに満了日、許容された活動、及び書類閲覧を許可された人員等、一定のパラメータを割り当てることができよう。それはまた、書類の所在探索の助けにもなろう。取引の監査経緯及び各書類のワークフロー履歴を確定するためのデータベースを創生することが可能とされることが理解されよう。
【００４３】
また、ＲＦＩＤタグが本体の一部を形成し且つ複写機にＲＦＩＤリーダが内蔵されている場合には、コーナー用具が固定された書類の複写を防止することが可能とされる。ＲＦＩＤリーダがコーナー用具のＲＦＩＤタグを検知し、複写工程への進行を阻止する。
【００４４】
図１１は、本発明によるコーナー用具６２の更に別の実施例を示し、コーナー用具６２は位置決め形成材６４及び八角形状の本体６６を有する。本体６６は米国の紋章を担持する。この実施例の位置決め形成材６４は、位置決め形成材６４と本体６４をつなぐ頸部６８を有する。溝７０は頸部６８の両側に画定され、頸部６８は折畳み面域７２をも形成する。上述の通り、コーナー用具６２が書類に取付けられると、折畳み面域７２によって本体６６を位置決め形成材６４に折り重ねることがより容易になる。折畳み面域７２はまた、本体６６が位置決め形成材６４に対して適切な角度で折り畳まれることを保証する。２つのアーム７４は本体６６の２つの側部から半径方向外向きに伸長する。使用時に、アーム７４は書類の隅の側部に折り重ねられ、書類の最終用紙の裏面に固定される。粘着層等の取付け手段もまた本発明のこの実施例で使用可能とされることが理解されよう。
【００４５】
図１２ａ及び１２ｂは本発明の更に別の実施例によるコーナー用具位置決め器７６を示す。コーナー用具位置決め器７６は、コーナー用具を受ける受け部７８及び受け部７８から垂直に伸長する２つの脚部８０を取付け手段として有する。２つの脚部８０は、コーナー用具位置決め器７６の前端８２に向かって位置し、それにより受け部７８とともに、紙綴じ器９８のマガジンの下面に位置する溝を創生してコーナー用具６２の位置決め部６４を受ける。図１４に最も良く示すように、位置決め部６４はこの短い溝に実質的に嵌合し、突出する停止材に当接する。この実施例において、停止材はコーナー用具位置決め器７６の後端８６まで延在する段状形成材とされる。コーナー用具位置決め器７６の前端８２はリップ８８を形成し、それによりコーナー用具６２が受け部７８及び脚部８０によって画定された短い溝に入り易くなる。
【００４６】
紙揃え器９０の別の実施例を図１３ａ及び１３ｂに示す。揃え器９０は２つの直立ブラケット９４が延出する三角形状の基部９２を含み、該ブラケットは中心線上に書類の隅を受ける角度とされる。三角形状の基部９２の底辺に接続部９４を設けることにより、紙揃え器９０は紙綴じ器に固定される。図１４は、紙揃え器９０及びコーナー用具位置決め器７６が紙綴じ器に固定された状態の紙綴じ器９８を示す。図はコーナー用具位置決め器７６の短い溝によってコーナー用具６２を受けたコーナー用具位置決め器７６を示す。前述の通り、紙揃え器９０は複数枚の用紙を受け、コーナー用具６２が書類に固定されるのに先立って書類を整える。
【００４７】
図１５は、本発明によるコーナー用具１００の更に別の実施例を示し、コーナー用具１００は位置決め形成材１０２及び本体１０４を有する。位置決め形成材１０２は本体１０４の延長部とされ、特別の位置決め若しくは整合用の特徴部は有さない。位置決め形成材１０２の幅は一般的に紙綴じ器の２つの脚間の間隔より狭くするように選択され、それによりコーナー用具１００が紙綴じ器により穿孔されないことが保証される。このコーナー用具１００は位置決め形成材１０２の基部に折畳み面域１０６をも有するため、コーナー用具１００が物品に止着されると本体１０４は容易に位置決め形成材１０２に折り重ねられる。
【００４８】
一般的に、コーナー用具１００は紙綴じ器のマガジンの端部内に挿着され、それにより紙綴じ工程の間、コーナー用具１００は所定位置に保持される。或いは、図１２ａ及び１２ｂに示したコーナー用具位置決め器７６と同様のコーナー用具位置決め器をこのコーナー用具に対して使用することも可能とされる。そのようなコーナー用具位置決め器７６は、これを紙綴じ器に固定する取付け手段をも備えるであろう。
【００４９】
コーナー用具の位置決め形成材の相違は別として、この実施例によるコーナー用具１００は一般的に他の実施例により説明した特徴と同じ特徴を含む。本体から伸長するアーム及び本体片面の粘着層の特徴は特にこの実施例においては有利とされ、それは位置決め形成材１００には綴じ金によってコーナー用具１００が複数枚の用紙に止着された後にコーナー用具１００を保持するローブ若しくは溝がないためである。
【００５０】
他にも本発明の実施例として、特にコーナー用具を複数枚の用紙の隅でなく複数枚の用紙の側部に固定する実施例が開発可能なことが更に理解されよう。そのような場合には、装置は一般的に使用時の綴じ金を受ける少なくとも２つの位置決め形成材を有する横長の本体を備えるであろう。紙揃え器は、コーナー用具を止着すべき複数枚の用紙の側部に紙綴じ器を直角に整合させるであろう。
【００５１】
コーナー用具が綴じ金及び粘着層によって複数枚の用紙に固定されると、コーナー用具を破損せずに綴じ金を複数枚の用紙から取り除くのは困難であろう。綴じ金を外すには、先ず本体を複数枚の用紙から脱離させなければならない。強力な粘着剤が使用されるならば、その結果用紙を破損することになろう。本体は、これを複数枚の用紙から外したときに分裂若しくは破断する材料から製作することも可能とされる。また、本体が最終用紙の裏面に固定された２つのアームを有する場合には、それらのアームも用紙から脱離させなければならず、更にコーナー用具が破損され、それによりコーナー用具及び書類が改変されたことを示すことになろう。
【図面の簡単な説明】
【００５２】
【図１】本発明の実施例による、本体及び位置決め形成材を有するコーナー用具を示す図である。
【図２】実施例によるコーナー用具位置決め器を備えた紙綴じ器及び紙綴じ器に固定された紙揃え器を示し、コーナー用具位置決め器の詳細を挿入図に示す図である。
【図３】図２の紙揃え器により整合された複数枚の用紙を示す図である。
【図４ａ】図１のコーナー用具を図２のコーナー用具位置決め器内に装着する様子を示す図である。
【図４ｂ】図２のコーナー用具位置決め器内部に装着された図１のコーナー用具を示す図である。
【図５】綴じ金が複数枚の用紙に取付けられた図１のコーナー用具を示す図である。
【図６】図１のコーナー用具がその作用ポジション内に折り畳まれた状態を示す図である。
【図７】図１のコーナー用具の本体に塗布された粘着層及び当て紙を示す図である。
【図８】本体が位置決め形成材上に折り重ねられた図１のコーナー用具の断面図である。
【図９】本発明によるコーナー用具の別の実施例を示し、コーナー用具の本体からアームが伸長している図である。
【図１０】複数枚の用紙に固定された図９による別の実施例を示し、コーナー用具のアームが最終用紙の裏面に粘着した図である。
【図１１】本発明によるコーナー用具の更に別の実施例を示し、コーナー用具の本体を八角形状とする図である。
【図１２ａ】本発明によるコーナー用具位置決め器の別の実施例の側部断面図である。
【図１２ｂ】図１２ａのコーナー用具位置決め器の平面図である。
【図１３ａ】紙揃え器の別の実施例を示す底面図である。
【図１３ｂ】図１３ａの紙揃え器の斜視図である。
【図１４】図１１のコーナー用具が図１２ａ及び１２ｂのコーナー用具位置決め器により紙綴じ器で受けられ、図１３ａ及び１３ｂの紙揃え器が紙綴じ器に取付けられた状態を示す図である。
【図１５】本発明によるコーナー用具位置決め器の更に別の実施例を示す図である。
【図１】
2008506563.tif 000003
【図２】
2008506563.tif 000004
【図３】
2008506563.tif 000005
【図４（ａ）】
2008506563.tif 000006
【図４（ｂ）】
2008506563.tif 000007
【図５】
2008506563.tif 000008
【図６】
2008506563.tif 000009
【図７】
2008506563.tif 000010
【図８】
2008506563.tif 000011
【図９】
2008506563.tif 000012
【図１０】
2008506563.tif 000013
【図１１】
2008506563.tif 000014
【図１２（ａ）】
2008506563.tif 000015
【図１２（ｂ）】
2008506563.tif 000016
【図１３（ａ）】
2008506563.tif 000017
【図１３（ｂ）】
2008506563.tif 000018
【図１４】
2008506563.tif 000019
【図１５】
2008506563.tif 000020
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
コーナー用具であって、
上面に情報若しくは装飾的図様を担持する本体と、
前記本体の一端から延出し、前記コーナー用具を物品に取付ける前に該コーナー用具を物品及び紙綴じ器に対して位置決め及び整合させる位置決め形成材であって、前記位置決め形成材は、使用時にその両側に綴じ金の脚を受ける形状とされ、それによって、前記コーナー用具が使用時に前記物品に取付けられたときに前記コーナー用具が穿孔されないことが保証される位置決め形成材と、
前記コーナー用具が前記物品に取付けられると、前記本体を前記位置決め形成材に折り重ねることを可能にし、それにより前記情報若しくは装飾的図様を表示可能とするように適合された折畳み面域とを含むコーナー用具。
【請求項２】
前記位置決め形成材は該位置決め形成材を前記本体につなぐ頸部を含み、前記位置決め形成材及び前記本体は細溝を前記頸部の両側に画定し、前記溝は、使用時に前記綴じ金の前記脚を受ける請求項１に記載のコーナー用具。
【請求項３】
前記位置決め形成材は、更に該位置決め形成材の外側端から前記本体に向かって延在する中央位置決めスリットを画定する２つのローブを含み、前記２つのローブは前記綴じ金の先に延在することによって前記コーナー用具が所定位置に前記綴じ金によって保持されることが保証される請求項１又は請求項２に記載のコーナー用具。
【請求項４】
前記本体は該本体の底面を前記位置決め形成材上及び前記物品に固定するための取付け手段を有する請求項１から請求項３までのいずれか一項に記載のコーナー用具。
【請求項５】
前記取付け手段を前記本体の底面に塗布された粘着層とする請求項４に記載のコーナー用具。
【請求項６】
前記本体は該本体から半径方向外向きに伸長する形状及び構成とされた少なくとも１つのアームを更に含み、前記少なくとも１つのアームは粘着層を塗布された底面を有し、使用時に、前記少なくとも１つのアームは前記物品の側部に折り回されて前記アームが前記物品の裏面に固定される請求項１から請求項５までのいずれか一項に記載のコーナー用具。
【請求項７】
前記本体に２つのアームを含む請求項６に記載のコーナー用具。
【請求項８】
前記本体に安全装置を含む請求項１から請求項７までのいずれか一項に記載のコーナー用具。
【請求項９】
前記安全装置を電子装置とする請求項８に記載のコーナー用具。
【請求項１０】
前記本体の前記上面の前記情報によって前記コーナー用具が取付けられる前記物品が識別される請求項１から請求項９までのいずれか一項に記載のコーナー用具。
【請求項１１】
前記本体の前記上面の前記装飾的図様を会社ロゴ若しくは紋章とする請求項１から請求項１０までのいずれか一項に記載のコーナー用具。
【請求項１２】
前記物品は複数枚の用紙から成る請求項１から請求項１１までのいずれか一項に記載のコーナー用具。
【請求項１３】
コーナー用具を物品に取付けるためのキットであって、前記キットはコーナー用具位置決め器を含み、前記コーナー用具位置決め器は前記コーナー用具の前記位置決め形成材を受ける受け部及び前記コーナー用具位置決め器を紙綴じ器に取付ける取付け手段を含み、前記受け部は、使用時に、前記紙綴じ器のマガジンの下面に位置する短い溝を画定する請求項１に記載のコーナー用具を物品に取付けるためのキット。
【請求項１４】
前記位置決め器取付け手段は前記受け部の両側から垂直に伸長する２つの脚部とされ、前記脚部同士は相互寄りに付勢されて前記紙綴じ器の前記マガジンを掴持する請求項１３に記載のキット。
【請求項１５】
前記位置決め器は前記受け部の前端に中央固定用形成材を更に含む請求項１３又は請求項１４に記載のキット。
【請求項１６】
前記固定用形成材を突起とする請求項１５に記載のキット。
【請求項１７】
前記位置決め器はコーナー用具の運動を前記短い溝内に制限する停止材を含む請求項１３から請求項１６までのいずれか一項に記載のキット。
【請求項１８】
前記停止材は中央内向きに突出する停止材とされ、使用時に、前記コーナー用具の前記中央位置決めスリットにより受けられる請求項１７に記載のキット。
【請求項１９】
前記停止材を前記位置決め器の前端と後端の間の段階状形成材とする請求項１８に記載のキット。
【請求項２０】
紙揃え器を更に含み、該紙揃え器は前記物品を受け且つ前記紙綴じ器に整合させる位置決め形成材を画定する２つのブラケットを備える請求項１３から請求項２０までのいずれか一項に記載のキット。
【請求項２１】
前記紙揃え器は該紙揃え器を前記紙綴じ器に固定する形成材を含む請求項２０に記載のキット。
【請求項２２】
受け部及び前記コーナー用具位置決め器を紙綴じ器に取付ける取付け手段を含むコーナー用具位置決め器であって、前記受け部は、使用時に、前記紙綴じ器のマガジンの下面に位置する短い溝を画定するコーナー用具位置決め器。
【請求項２３】
前記取付け手段は前記受け部の両側から垂直に伸長する２つの脚部とされ、前記脚部同士は相互寄りに付勢されて前記紙綴じ器の前記マガジンを掴持する請求項２２に記載のコーナー用具位置決め器。
【請求項２４】
前記位置決め器は前記受け部の前端にコーナー用具を所定位置に保持するための中央固定用形成材を更に含む請求項２２又は請求項２３に記載のコーナー用具位置決め器。
【請求項２５】
前記固定用形成材を突起とする請求項２４に記載のコーナー用具位置決め器。
【請求項２６】
前記位置決め器はコーナー用具の運動を前記短い溝内に制限する停止材を含む請求項２２から請求項２５までのいずれか一項に記載のコーナー用具位置決め器。
【請求項２７】
前記停止材は中央内向きに突出する停止材とされ、使用時に、前記コーナー用具の中央位置決めスリットにより受けられる請求項２６に記載のコーナー用具位置決め器。
【請求項２８】
前記停止材を前記位置決め器の前端と後端の間の段階状形成材とする請求項２６に記載のコーナー用具位置決め器。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
コーナー用具であって、
上面に情報若しくは装飾的図様を担持する本体と、
前記本体の一端から延出し、前記コーナー用具を物品に取付ける前に該コーナー用具を物品及び紙綴じ器に対して位置決め及び整合させる位置決め形成材であって、前記位置決め形成材は、使用時にその両側に綴じ金の脚を受ける形状とされ、それによって、前記コーナー用具が使用時に前記物品に取付けられたときに前記コーナー用具が穿孔されないことが保証される位置決め形成材と、
前記コーナー用具が前記物品に取付けられると、前記本体を前記位置決め形成材に折り重ねることを可能にし、それにより前記情報若しくは装飾的図様を表示可能とするように適合された折畳み面域とを含むコーナー用具。
【請求項２】
前記位置決め形成材は該位置決め形成材を前記本体につなぐ頸部を含み、前記位置決め形成材及び前記本体は細溝を前記頸部の両側に画定し、前記溝は、使用時に前記綴じ金の前記脚を受ける請求項１に記載のコーナー用具。
【請求項３】
前記位置決め形成材は、更に該位置決め形成材の外側端から前記本体に向かって延在する中央位置決めスリットを画定する２つのローブを含み、前記２つのローブは前記綴じ金の先に延在することによって前記コーナー用具が所定位置に前記綴じ金によって保持されることが保証される請求項１に記載のコーナー用具。
【請求項４】
前記本体は該本体の底面を前記位置決め形成材上及び前記物品に固定するための取付け手段を有する請求項１に記載のコーナー用具。
【請求項５】
前記取付け手段を前記本体の底面に塗布された粘着層とする請求項４に記載のコーナー用具。
【請求項６】
前記本体は該本体から半径方向外向きに伸長する形状及び構成とされた少なくとも１つのアームを更に含み、前記少なくとも１つのアームは粘着層を塗布された底面を有し、使用時に、前記少なくとも１つのアームは前記物品の側部に折り回されて前記アームが前記物品の裏面に固定される請求項１に記載のコーナー用具。
【請求項７】
前記本体に２つのアームを含む請求項６に記載のコーナー用具。
【請求項８】
前記本体に安全装置を含む請求項１に記載のコーナー用具。
【請求項９】
前記安全装置を電子装置とする請求項８に記載のコーナー用具。
【請求項１０】
前記本体の前記上面の前記情報によって前記コーナー用具が取付けられる前記物品が識別される請求項１に記載のコーナー用具。
【請求項１１】
前記本体の前記上面の前記装飾的図様を会社ロゴ若しくは紋章とする請求項１に記載のコーナー用具。
【請求項１２】
前記物品は複数枚の用紙から成る請求項１に記載のコーナー用具。
【請求項１３】
コーナー用具を物品に取付けるためのキットであって、前記キットはコーナー用具位置決め器を含み、該コーナー用具位置決め器は前記コーナー用具の前記位置決め形成材を受ける受け部及び前記コーナー用具位置決め器を紙綴じ器に取付ける取付け手段を含み、前記受け部は、使用時に、前記紙綴じ器のマガジンの下面に位置する短い溝を画定する請求項１に記載のコーナー用具を物品に取付けるためのキット。
【請求項１４】
前記位置決め器取付け手段は前記受け部の両側から垂直に伸長する２つの脚部とされ、前記脚部同士は相互寄りに付勢されて前記紙綴じ器の前記マガジンを掴持する請求項１３に記載のキット。
【請求項１５】
前記位置決め器は前記受け部の前端に中央固定用形成材を更に含む請求項１３に記載のキット。
【請求項１６】
前記固定用形成材を突起とする請求項１５に記載のキット。
【請求項１７】
前記位置決め器はコーナー用具の運動を前記短い溝内に制限する停止材を含む請求項１３に記載のキット。
【請求項１８】
前記停止材は中央内向きに突出する停止材とされ、使用時に、前記コーナー用具の前記中央位置決めスリットにより受けられる請求項１７に記載のキット。
【請求項１９】
前記停止材を前記位置決め器の前端と後端の間の段階状形成材とする請求項１８に記載のキット。
【請求項２０】
紙揃え器を更に含み、該紙揃え器は前記物品を受け且つ前記紙綴じ器に整合させる位置決め形成材を画定する２つのブラケットを備える請求項１３に記載のキット。
【請求項２１】
前記紙揃え器は該紙揃え器を前記紙綴じ器に固定する形成材を含む請求項２０に記載のキット。
【請求項２２】
受け部及び前記コーナー用具位置決め器を紙綴じ器に取付ける取付け手段を含むコーナー用具位置決め器であって、前記受け部は、使用時に、前記紙綴じ器のマガジンの下面に位置する短い溝を画定するコーナー用具位置決め器。
【請求項２３】
前記取付け手段は前記受け部の両側から垂直に伸長する２つの脚部とされ、前記脚部同士は相互寄りに付勢されて前記紙綴じ器の前記マガジンを掴持する請求項２２に記載のコーナー用具位置決め器。
【請求項２４】
前記位置決め器は前記受け部の前端にコーナー用具を所定位置に保持するための中央固定用形成材を更に含む請求項２２に記載のコーナー用具位置決め器。
【請求項２５】
前記固定用形成材を突起とする請求項２４に記載のコーナー用具位置決め器。
【請求項２６】
前記位置決め器はコーナー用具の運動を前記短い溝内に制限する停止材を含む請求項２２に記載のコーナー用具位置決め器。
【請求項２７】
前記停止材は中央内向きに突出する停止材とされ、使用時に、前記コーナー用具の中央位置決めスリットにより受けられる請求項２６に記載のコーナー用具位置決め器。
【請求項２８】
前記停止材を前記位置決め器の前端と後端の間の段階状形成材とする請求項２６に記載のコーナー用具位置決め器。
【国際調査報告】
2008506563.tif 000021
2008506563.tif 000022